(57)【特許請求の範囲】
【請求項１】
複数のセグメントから構成されるシールドリング同士をフレキシブルに接続するフレキシブル継手装置であって、前記セグメントの軸方向端部には前記シールドリングを接続する雄継手と雌継手とを備え、
前記雄継手にあっては、所定の長さの連結杆の両端に連結用膨出頭部が設けられてなり、
前記雌継手にあっては、前記セグメント内に埋め込み固定されて軸方向端部に開口し前記雄継手の連結用膨出頭部が挿入される受筒体と、該受筒体内に軸方向に移動自在に嵌合され前記受筒体内に挿入された連結用膨出頭部に係止して抜け止めするレセプタクルと、該レセプタクルを開口方向に付勢するスプリングと、前記受筒体内に挿入された連結用膨出頭部の先端に当接して連結用膨出頭部の侵入範囲を規制するストップ部材とを備えた構造になっており、
前記雄継手の連結用膨出頭部と雌継手の接続部分では、伸縮方向、剪断方向、捩れ方向、曲がり方向にそれぞれ可動範囲が設けられていることを特徴とするフレキシブル継手装置。
【請求項２】
前記雌継手の前記受筒体の開口側には開口端に向かって内径が徐々に小さくなるテーパー内面が設けられ、
前記レセプタクルは、前記受筒体の開口側に受筒体の内径より小径とする円周方向に複数設けられた求心方向に弾発する弾発片の先端部外面側に、前記受筒体のテーパー内面に摺接するテーパー摺接面を設け、そして内面側には前記雄継手の連結用膨出頭部の連結杆側に係止する係止凸部を設けた構成のチャック部が設けられてなり、
また、前記雄継手の連結用膨出頭部と雌継手との接続部分での可動範囲にあっては、雄継手と雌継手を接続した状態で、前記雌継手のストップ部材と前記レセプタクルの弾発片の先端部内面側に設けた係止凸部との間に、前記連結用膨出頭部が軸方向に所定の範囲内で移動可能とする空間を保有させ、前記レセプタクルの弾発片の内周と前記連結用膨出頭部との間に、周方向に沿って所定の隙間を保有させ、更に、前記レセプタクルの弾発片の先端部内面側に設けた係止凸部の内周と連結杆との間に、周方向に沿って所定の隙間を保有させることにより形成されていることを特徴とする請求項１に記載のフレキシブル継手装置。
【発明の詳細な説明】
【０００１】
【発明の属する技術分野】
本発明は、シールド工法で構築するシールドトンネルのシールドリングをフレキシブルに接続するフレキシブル継手装置に関する。
【０００２】
【従来の技術】
シールド工法によるシールドトンネルの構築は、シールドマシンで所定の長さ掘削する毎に形成された空間の周囲に複数のセグメントを繋いでシールドリングを構成し、シールドリングの内周面はコンクリートで二次覆工することにより行われている。
【０００３】
このようにして構築されるシールドトンネルは、軟弱地盤などにおける不等沈下や地震などで発生する複雑な応力による変位によって発生するシールドリング自体の損壊を回避しその安全性を確保するために、シールドトンネルの長さ方向に所定間隔毎に、前記応力による変位を吸収するためのフレキシブル接続手段を講じることが提案されている。
【０００４】
従来、かかるフレキシブル接続手段として、セグメントに取り付けた剛体主リング間に伸縮性可撓リングを介装し、この伸縮性可撓リングの内面に中リングを添設した可撓セグメントがある（特開平９−１８４３９８号）。
【０００５】
【発明が解決しようとする課題】
しかしながら、上記可撓セグメントは構造が複雑で施工が面倒であり、しかも高コストであるといった問題があった。
【０００６】
本発明の目的は、シールドリングを複雑な応力による変位を吸収できるように接続でき、しかも構造が簡単で低コストで施工できるフレキシブル継手装置を提供することにある。
【０００７】
【課題を解決するための手段】
上記目的を達成するために、請求項１に記載の発明は、複数のセグメントから構成されるシールドリング同士をフレキシブルに接続するフレキシブル継手装置であって、前記セグメントの軸方向端部には前記シールドリングを接続する雄継手と雌継手とを備え、前記雄継手にあっては、所定の長さの連結杆の両端に連結用膨出頭部が設けられてなり、前記雌継手にあっては、前記セグメント内に埋め込み固定されて軸方向端部に開口し前記雄継手の連結用膨出頭部が挿入される受筒体と、該受筒体内に軸方向に移動自在に嵌合され前記受筒体内に挿入された連結用膨出頭部に係止して抜け止めするレセプタクルと、該レセプタクルを開口方向に付勢するスプリングと、前記受筒体内に挿入された連結用膨出頭部の先端に当接して連結用膨出頭部の侵入範囲を規制するストップ部材とを備えた構造になっており、前記雄継手の連結用膨出頭部と雌継手の接続部分では、伸縮方向、剪断方向、捩れ方向、曲がり方向にそれぞれ可動範囲が設けられていることを特徴とする。
【０００８】
かかる構成から、シールドリング同士の接続は、一方のシールドリングを構成するセグメントに埋め込み固定されている雌継手に雄継手の一方の連結用膨出頭部を挿入し、該雄継手の他方の連結用膨出頭部を他方のシールドリングを構成するセグメントに埋め込み固定されている雌継手に挿入するといった簡単な作業により、シールドリング同士を接続することができる。そして、前記雄継手の連結用膨出頭部と雌継手との接続部分では、伸縮方向、剪断方向、捩れ方向、曲がり方向にそれぞれ可動範囲が設けられているので、例えば、軟弱地盤などにおける不等沈下や地震などによりシールドリングに、伸縮方向、剪断方向、捩れ方向、曲がり方向等に変位が生じたとき、この変位を前記連結用膨出頭部と雌継手との接続部分に設けられた可動範囲で吸収することができ、これによりシールドリング自体の損壊を防止することができる。
【０００９】
請求項２に記載の発明は、前記請求項１において、雌継手の前記受筒体の開口側には開口端に向かって内径が徐々に小さくなるテーパー内面が設けられ、前記レセプタクルは、前記受筒体の開口側に受筒体の内径より小径とする円周方向に複数設けられた求心方向に弾発する弾発片の先端部外面側に、前記受筒体のテーパー内面に摺接するテーパー摺接面を設け、そして内面側には前記雄継手の連結用膨出頭部の連結杆側に係止する係止凸部を設けた構成のチャック部が設けられてなり、また、前記雄継手の連結用膨出頭部と雌継手との接続部分での可動範囲にあっては、雄継手と雌継手を接続した状態で、前記雌継手のストップ部材と前記レセプタクルの弾発片の先端部内面側に設けた係止凸部との間に、前記連結用膨出頭部が軸方向に所定の範囲内で移動可能とする空間を保有させ、前記レセプタクルの弾発片の内周と前記連結用膨出頭部との間に、周方向に沿って所定の隙間を保有させ、更に、前記レセプタクルの弾発片の先端部内面側に設けた係止凸部の内周と連結杆との間に、周方向に沿って所定の隙間を保有させることにより形成されていることを特徴とする。
【００１０】
かかる構成から、一方のシールドリングを構成するセグメントの軸方向の端部に開口している雌継手の受筒体に雄継手の一方の連結用膨出頭部を挿入すると、連結用膨出頭部により受筒体内のレセプタクルが押されてスプリングの弾発力に抗して後退し、この後退により受筒体のテーパー内面による遠心方向への拡がりの規制を解かれたチャック部を構成する弾発片が連結用膨出頭部により遠心方向に押し拡げられ、前記連結用膨出頭部はチャック部内に入る。チャック部内に入った連結用膨出頭部がチャック部の先端部内面側にある係止凸部を越えると、拡げられていた弾発片が復元し、前記スプリングの付勢により前進して、その先端部外面側のテーパー摺接面が前記受筒体のテーパー内面に摺接して求心方向に押さえられる。そして、前記連結用膨出頭部が抜けようとしたとき、連結用膨出頭部の連結杆側に、前記テーパー内面により求心方向に押さえられているテーパー摺接面の内面側にある係止凸部が係止し、これにより受筒体からの連結用膨出頭部の抜け出しが阻止されて、前記セグメントの雌継手と雄継手の一方の連結用膨出頭部が接続する。
【００１１】
次に、かかる雄継手の他方の連結用膨出頭部を他方のシールドリングを構成するセグメントの軸方向の端部に開口している雌継手の受筒体に挿入すると、前記と同様にして、前記セグメントの雌継手と前記雄継手の他方の連結用膨出頭部が接続し、これにより、前記シールドリング同士が接続される。
【００１２】
そして、前記雄継手の連結用膨出頭部と雌継手との接続部分での可動範囲にあっては、雄継手と雌継手を接続した状態で、前記雌継手のストップ部材と前記レセプタクルの弾発片の先端部内面側に設けた係止凸部との間に、前記連結用膨出頭部が軸方向に所定の範囲内で移動可能とする空間を保有させ、前記レセプタクルの弾発片の内周と前記連結用膨出頭部との間に、周方向に沿って所定の隙間を保有させ、更に、前記レセプタクルの弾発片の先端部内面側に設けた係止凸部の内周と連結杆との間に、周方向に沿って所定の隙間を保有させることにより形成されているので、接続されているシールドリング間に、伸縮方向に変位が生じたときは、前記雌継手のストップ部材と前記レセプタクルの弾発片の先端部内面側に設けた係止凸部との間の空間で雄継手の連結用膨出頭部が軸方向に移動することによりこれを吸収し、また、剪断方向、捩れ方向、曲がり方向に変位が生じたときは、前記レセプタクルの弾発片の内周と連結用膨出頭部との間の隙間及び前記レセプタクルの弾発片の先端部内面側に設けた係止凸部の内周と連結杆との間の隙間を、前記連結用膨出頭部及び連結杆が移動することによりこれらを吸収することができ、これにより、シールドリング自体の損壊を防止することができる。
【００１３】
【発明の実施の形態】
以下、本発明に係るフレキシブル継手装置の実施の形態の一例を図面により詳細に説明する。
このフレキシブル継手装置は、複数のセグメントから構成されるシールドリング同士を接続する１つの雄継手２と２つの雌継手３Ａ、３Ｂから構成されている。かかる雄継手２と雌継手３Ａ、３Ｂはいずれもステンレススチールの如き金属により形成されている。
【００１４】
前記雄継手２にあっては、所定の長さの連結杆４の両端に、同形に形成された連結用膨出頭部５ａ、５ｂが設けられている。
前記雌継手３Ａ、３Ｂは、いずれも後述するように同一の構成となっており、対向するシールドリングを構成するセグメント１Ａ、１Ｂのそれぞれの軸方向端部に、円弧方向に所定の間隔をあけて、且つそれぞれ対向する位置に、端部に開口するように埋め込み固定されるものとなっている。
【００１５】
この雌継手３Ａ、３Ｂは次のような構成となっている。前記雌継手３Ａ、３Ｂは同一の構成となっているので、ここでは雌継手３Ａの構成を説明し、雌継手３Ｂには同一の符号を付してその説明を省略する。
【００１６】
前記雌継手３Ａはセグメント１Ａ内に埋め込み固定され、セグメント１Ａの軸方向端部に開口し、前記雄継手２の一方の連結用膨出頭部５ａが内部に挿入される受筒体６と、該受筒体６内に軸方向に移動自在に嵌合され前記受筒体６内に挿入された連結用膨出頭部５ａに係止して抜け止めするレセプタクル７と、該レセプタクル７を開口方向に付勢するスプリング８と、前記受筒体６内に挿入された連結用膨出頭部５ａの先端に当接して連結用膨出頭部５ａの侵入範囲を規制するストップ部材９とを備えている。
【００１７】
前記受筒体６にあっては、その後端に抜け止め鍔１０が設けられ、また、開口側内周面には、開口端に向かって内径が徐々に小さくなるテーパー内面１１が設けられ、そしてテーパー内面１１の最小径端から求心方向に突出して前記レセプタクル７の先端、即ち、後述するチャック部を構成する弾発片の先端に係止するストッパー部１２が設けられている。また、開口端には前記連結用膨出頭部５ａを調心して挿入を容易にするテーパーガイド面１３が形成されている。
【００１８】
前記レセプタクル７にあっては、受筒体６の内周に軸方向に摺動自在に嵌合された環状摺動体１４と、環状摺動体１４の前記受筒体６の開口端側に設けられたチャック部１５とからなっている。このチャック部１５は、前記環状摺動体１４に、前記受筒体６の内径より小径とする円周方向に求遠心方向に弾発する複数の弾発片１６を環状に設け、該弾発片１６の先端部外周面側に前記受筒体６のテーパー内面１１に摺接するテーパー摺接面１７を設け、そして内面側には、前記雄継手２の連結用膨出頭部５ａの連結杆４側に係止する係止凸部１８を設けた構成となっている。前記環状に設けられた弾発片１６は、筒体にスリット１９を入れて形成されている。
【００１９】
また、前記ストップ部材９にあっては、後端に係止鍔部２７が形成されており、この係止鍔部２７が前記受筒体６の後端に形成された大径内周部２６に嵌合し、係止鍔部２７の先端側が大径内周部２６の段部に当接し、係止鍔部２７の後端側が受筒体６の後端に装着したストップリング２８に係止することにより前記受筒体６に固定されている。
【００２０】
更に、前記雄継手２の連結用膨出頭部５ａと雌継手３Ａとの接続部分では、伸縮方向、剪断方向、捩れ方向、曲がり方向にそれぞれ可動範囲が設けられている。この可動範囲にあっては、雄継手２と雌継手３Ａを接続状態で、前記雌継手３Ａのストップ部材９と前記レセプタクル７の弾発片１６の先端部内面側に設けた係止凸部１８との間に、前記連結用膨出頭部５ａが軸方向に所定長さ伸縮移動可能とする間隔Ｌを保有させ、前記レセプタクル７の弾発片１６の内周と前記連結用膨出頭部５ａとの間に、周方向に沿って所定の隙間Ｓ１を保有させ、更に、前記レセプタクル７の弾発片１６の先端部内面側に設けた係止凸部１８の内周と連結杆４との間に、周方向に沿って所定の隙間Ｓ２を保有させることにより形成されている。
【００２１】
以上、雌継手３Ａの構成を説明したが、他方の雌継手３Ｂも同様の構成となっており、前記雌継手３Ｂはセグメント１Ｂ内に埋め込み固定され、セグメント１Ｂの軸方向端部に開口しており、この雌継手３Ｂには、前記雄継手２の他方の連結用膨出頭部５ｂが挿入され、この雄継手２を介して雌継手３Ａ、３Ｂが接続されるようになっている。
【００２２】
また、前記雄継手２の連結杆４の長さにあっては、雄継手２を雌継手３Ａ、３Ｂに挿入し、連結杆４の両端に設けた連結用膨出頭部５ａ、５ｂがそれぞれの雌継手３Ａ、３Ｂのストップ部材９に当接した状態のとき、それぞれ雌継手３Ａ、３Ｂを埋め込み固定しているセグメント１Ａ、１Ｂの対向する端部間に所定の隙間Ｓ３が生じる長さに設定されている。
【００２３】
次に、上記のように構成されたフレキシブル継手装置によるシールドリングの接続について説明する。
【００２４】
対向するシールドリングは、該対向するシールドリングを構成する前記セグメント１Ａ、１Ｂの対向端部間に所要の隙間Ｓ３をおいて、且つ前記雌継手３Ａのストップ部材９と前記レセプタクル７の弾発片１６の先端部内面側に設けた係止凸部１８との間に、前記連結用膨出頭部５ａが軸方向に所定長さ伸縮移動可能とする間隔Ｌを保有させ、前記レセプタクル７の弾発片１６の内周と前記連結用膨出頭部５ａとの間に、周方向に沿って所定の隙間Ｓ１を保有させ、更に、前記レセプタクル７の弾発片１６の先端部内面側に設けた係止凸部１８の内周と連結杆４との間に、周方向に沿って所定の隙間Ｓ２を保有させて接続されるようになっている。
【００２５】
そのため、セグメント１Ａ、１Ｂのそれぞれの対向間に、前記隙間Ｓ３を形成し、且つ前記隙間Ｓ３をあけてセグメント１Ａ、１Ｂを対向させた状態のとき、それぞれの雌継手３Ａ、３Ｂに挿入された雄継手２の連結用膨出頭部５ａ、５ｂが、いずれもレセプタクル７の弾発片１６の係止凸部１８とストップ部材９との間に位置し、連結用膨出頭部５ａ、５ｂが係止凸部１８とストップ部材９との間で軸方向に伸縮移動可能な状態を保持し、且つ、前記レセプタクル７の弾発片１６の内周と前記連結用膨出頭部５ａとの間に、周方向に沿って所定の隙間Ｓ１を保有し、更に、前記レセプタクル７の弾発片１６の先端部内面側に設けた係止凸部１８の内周と連結杆４との間に、周方向に沿って所定の隙間Ｓ２を保有するように接続するためのスペーサー２０が用意され、セグメント１Ａ、１Ｂの軸方向端部には、前記スペーサー２０を着脱自在に取り付けるための取り付け突部２１が円弧方向に設けられいる。そして、この取り付け突部２１に前記スペーサー２０がボルト２２で着脱自在に取り付けられるようになっている。
【００２６】
前記スペーサー２０は先端側に前記雄継手２の連結杆４を圧入するスリット２９が形成されている。このスリット２９は圧入された連結杆４を、接続時に前記レセプタクル７の弾発片１６の内周と前記連結用膨出頭部５ａとの間に周方向に沿って所定の隙間Ｓ１を保有し、且つ、前記レセプタクル７の弾発片１６の先端部内面側に設けた係止凸部１８の内周と連結杆４との間に周方向に沿って所定の隙間Ｓ２を保有するように、位置決め支持するものとなっている。このスペーサー２０は接続完了後抜き取るが、このとき、前記スリット２９に圧入していた雄継手２の連結杆４は、スリット２９から抜け出せるようになっている。
【００２７】
前記取り付け突部２１には、前記セグメント１Ａ、１Ｂに埋め込み固定されている雌継手３Ａ、３Ｂの開口と連通し、雄継手２の連結用膨出頭部５ａ、５ｂの挿入を妨げない大径の孔２５が設けられている。
【００２８】
更に、上記フレキシブル継手装置によるシールドリングの接続には、対向するシールドリング間の隙間、即ち対向するシールドリングを構成するセグメント１Ａ、１Ｂ間の隙間Ｓ３をシールするために、弾性シールリング２３が用意されている。また、一方のセグメント１Ａ（１Ｂ）の取り付け突部２１には、前記弾性シールリング２３を内側から支える支持部材２４が、他方のセグメント１Ｂ（１Ａ）の取り付け突部２１に跨るように設けられている。
【００２９】
さて、上記フレキシブル継手装置によるシールドリングの接続にあっては、セグメント１Ａと１Ｂとの間に弾性シールリング２３を介在させた状態で対向させ、そして雄継手２の一方の連結用膨出頭部５ａを対向する一方のセグメント１Ａに埋め込まれている雌継手３Ａに挿入し、他方の連結用膨出頭部５ｂを他方のセグメント１Ｂに埋め込まれている雌継手３Ｂに挿入し、そして対向するセグメント１Ａ、１Ｂの取り付け突部２１、２１間にスペーサー２０を介在させて突き合わせ、スペーサー２０をボルト２２により前記取り付け突部２１に固定する。
【００３０】
かかるセグメント１Ａ、１Ｂの突き合わせにより、一方のセグメント１Ａの端面に開口している雌継手３Ａの受筒体６に雄継手２の一方の連結用膨出頭部５ａが挿入されると、連結用膨出頭部５ａにより受筒体６内のレセプタクル７が押されてスプリング８の弾発力に抗して後退し、この後退により受筒体６のテーパー内面１１による遠心方向への拡がりの規制を解かれたチャック部１５を構成する弾発片１６が連結用膨出頭部５ａにより遠心方向に押し拡げられ、前記連結用膨出頭部５ａはチャック部１５内に入る。チャック部１５内に入った連結用膨出頭部５ａがチャック部１５の先端部内面側にある係止凸部１８を越えると、拡げられていた弾発片１６が復元し、前記スプリング８の付勢により前進して、その先端部外面側のテーパー摺接面１７が前記受筒体６のテーパー内面１１に摺接して求心方向に押さえられる。そして、前記連結用膨出頭部５ａが抜けようとしたとき、連結用膨出頭部５ａの連結杆４側に、前記テーパー内面１１により求心方向に押さえられているテーパー摺接面１７の内面側にある係止凸部１８が係止し、これにより受筒体６からの連結用膨出頭部５ａの抜け出しが阻止される。
【００３１】
そして、他方のセグメント１Ｂの端面に開口している雌継手３Ｂの受筒体６に雄継手２の他方の連結用膨出頭部５ｂが挿入されると、前記と同様にして受筒体６からの連結用膨出頭部５ｂの抜け出しが阻止される。これにより、雌継手３Ａ、３Ｂは雄継手２を介して接続され、前記対向するセグメント１Ａ、１Ｂは前記雄継手と雌継手３Ａ、３Ｂを介して接続される。
【００３２】
このようにして円周方向に配置されてシールドリングを構成するセグメント１Ａに、シールドリングを構成するセグメント１Ｂを接続することにより、対向するシールドリングが円周方向で接続される。前記のようにしてセグメント１Ａ、１Ｂによって構成されるシールドリングを接続したら、前記ボルト２２を外してスペーサー２０を抜き取る。
【００３３】
このようにして、シールドリングの接続は完了するが、この接続状態のとき、前記雄継手２の連結用膨出頭部５ａ、５ｂと雌継手３Ａ、３Ｂとの接続部分での可動範囲にあっては、雄継手２と雌継手３Ａ、３Ｂを接続した状態で、前記雌継手３Ａ、３Ｂのストップ部材９と前記レセプタクル７の弾発片１６の先端部内面側に設けた係止凸部１８との間に、前記連結用膨出頭部５ａ、５ｂが軸方向に所定長さ移動可能とする間隔Ｌを保有させ、前記レセプタクル７の弾発片１６の内周と前記連結用膨出頭部５ａ、５ｂとの間に、周方向に沿って所定の隙間Ｓ１を保有させ、更に、前記レセプタクル７の弾発片１６の先端部内面側に設けた係止凸部１８の内周と連結杆４と間に、周方向に沿って所定の隙間Ｓ２を保有させることにより形成されているので、セグメント１Ａ、１Ｂによって構成され接続されているシールドリング間に、伸縮方向に変位が生じたときは、前記雌継手３Ａ、３Ｂのストップ部材９と前記レセプタクル７の弾発片１６の先端部内面側に設けた係止凸部１８との間で雄継手２の連結用膨出頭部５ａ、５ｂが軸方向に移動することによりこれを吸収し（図４）、また、剪断方向、捩れ方向に変位が生じたときは、前記レセプタクル７の弾発片１６の内周と連結用膨出頭部５ａ、５ｂとの間の隙間Ｓ１及び前記レセプタクル７の弾発片１６の先端部内面側に設けた係止凸部１８の内周と連結杆４との間の隙間Ｓ２を、前記連結用膨出頭部５ａ、５ｂ及び連結杆４が移動することによりこれらを吸収することができ（図５）、また、曲がり方向に変位が生じたときは、前記レセプタクル７の弾発片１６の内周と連結用膨出頭部５ａ、５ｂとの間の隙間Ｓ１及び前記レセプタクル７の弾発片１６の先端部内面側に設けた係止凸部１８の内周と連結杆４との間の隙間Ｓ２を、前記連結用膨出頭部５ａ、５ｂ及び連結杆４が移動することによりこれらを吸収することができる（図６）。これにより、セグメント１Ａ、１Ｂで構成されるシールドリング自体の損壊を防止することができる。
【００３４】
そして、前記変位により、シールドリング間の隙間、即ち、セグメント１Ａ、１Ｂ間の隙間Ｓ３が変化しても、この変化に対応して弾性シールリング２３が伸縮し、接続したシールドリング間のシール状態を維持することができる。
【００３５】
【発明の効果】
以上のように本発明に係るフレキシブル継手装置によれば、対向するシールドリングの接続は、一方のシールドリングを構成するセグメントの雌継手に雄継手の一方の連結用膨出頭部を挿入し、該雄継手の他方の連結用膨出頭部を他方のセグメントの雌継手に挿入するといった簡単な作業により、対向するシールドリングを構成するセグメントを接続することができ、そして、前記雄継手の連結用膨出頭部と雌継手との接続部分では、伸縮方向、剪断方向、捩れ方向、曲がり方向にそれぞれ可動範囲が設けられているので、例えば、軟弱地盤などにおける不等沈下や地震などによりシールドリングに、伸縮方向、剪断方向、捩れ方向、曲がり方向等に変位が生じたとき、この変位を前記連結用膨出頭部と雌継手との接続部分に設けられた可動範囲で吸収することができ、これによりシールドリング自体の損壊を防止することができる。更には、構成が簡単なので、作業が容易であり、低コストで施工できる。
【図面の簡単な説明】
【図１】本発明に係るフレキシブル継手装置の実施の形態の一例を示す縦断面図。
【図２】図１の一部拡大図。
【図３】本例のフレキシブル継手装置により接続するシールドリングを構成するセグメントの斜視図。
【図４】本例のフレキシブル継手装置により接続したシールドリング（セグメント）が伸張方向に変位したときの雄継手と雌継手の状態を示す縦断面図。
【図５】本例のフレキシブル継手装置により接続したシールドリング（セグメント）が剪断方向に変位したときの雄継手と雌継手の状態を示す縦断面図。
【図６】本例のフレキシブル継手装置により接続したシールドリング（セグメント）が曲がり方向に変位したときの雄継手と雌継手の状態を示す縦断面図。
【符号の説明】
１Ａ、１Ｂ  セグメント
２  雄継手
３Ａ、３Ｂ  雌継手
４  連結杆
５ａ、５ｂ  連結用膨出頭部
６  受筒体
７  レセプタクル
８  スプリング
９  ストップ部材
１０  抜け止め鍔
１１  テーパー内面
１２  ストッパー部
１３  テーパーガイド面
１４  環状摺動体
１５  チャック部
１６  弾発片
１７  テーパー摺接面
１８  係止凸部
１９  スリット
２０  スペーサー
２１  取り付け突部
２２  ボルト
２３  弾性シールリング
２４  支持部材
２５  孔
２６  大径内周面
２７  係止鍔部
２８  ストップリング
２９  スリット
Ｌ  間隔
Ｓ１  隙間
Ｓ２  隙間
Ｓ３  隙間
【図１】
0003967875.tif 000002
【図２】
0003967875.tif 000003
【図３】
0003967875.tif 000004
【図４】
0003967875.tif 000005
【図５】
0003967875.tif 000006
【図６】
0003967875.tif 000007